(57)【特許請求の範囲】
【請求項１】
内枠体及び一部に透明部を有して不透明に形成された外枠体と、
両枠体内に内蔵され、音声信号を音声に変換する音声変換器と、
両枠体内に回転可能に介装され、前記外枠体側の面に放射状に付着された複数の色材を有する色変わり回転体と、を備え、
前記色変わり回転体を、その回転の際に、前記複数の色材が前記外枠体の透明部に順次臨むように介装する一方、前記複数の色材のうちの所望の色材が前記外枠体の透明部を臨む位置で係止させる係止手段を設け、
前記係止手段を、
谷部と、前記所望の色材が前記外枠体の透明部を臨む位置で前記谷部に弾性的に進入する係止爪とで構成したことを特徴とするヘッドホン。
【請求項２】
略円形状の外面の一部に透明部を形成すると共に、前記透明部以外を不透明部に形成した外枠体と、
音声信号を音声に変換する音声変換器を内蔵した内枠体と、
前記外枠体と前記内枠体との間に回転可能に介装され、且つ、前記外枠体側に向かってそれぞれ色の異なる複数の色材を円周に沿って付着させた色変わり回転体と、
前記色変わり回転体を回転させた際、前記色変わり回転体に付着させた前記複数の色材のうちの所望の色材を前記外枠体の透明部に臨ませる位置に係止させるための係止手段と、を備え、
前記係止手段を、
前記色変わり回転体に谷部と山部とを繰り返して歯車状に形成した歯車部と、
前記色変わり回転体と前記内枠体との間に設けられ、且つ、前記色変わり回転体に形成した前記歯車部の谷部に進入して前記色変わり回転体を係止するための係止爪が弾性変位可能に形成された中間支持体とで構成したことを特徴とするヘッドホン。
【発明の詳細な説明】
【０００１】
【発明の属する技術分野】
本発明は、デザイン性を考慮して、略円形状の外面の一部に透明部を形成した外枠体と、音声変換器を内蔵した内枠体との間に色変わり回転体を回転可能に介装させ、且つ、外枠体側に向かってそれぞれ色の異なる複数の色材を付着させた色変わり回転体を手動により回転させることで、複数の色材のうちで所望の色の色材を外枠体の透明部に表示できるように構成したヘッドホンに関するものである。
【０００２】
【従来の技術】
一般的に、ヘッドホンは、携帯型ラジオ，携帯型テープレコーダ，携帯型ＭＤ(Mini Disc) プレーヤ，携帯型液晶テレビなどから出力された音声信号を人間の耳もとで小型スピーカなどにより音声に変換するように構成されているものであり、この種のヘッドホンのうちでデザイン性を考慮したヘッドホン及び装飾用シート部材が特開平１１−３０８６８６号公報に開示されている。
【０００３】
図８は従来のヘッドホンを説明するための斜視図である。
図８に示した従来のヘッドホン１００は、上記した特開平１１−３０８６８６号公報に開示されているものであり、ここでは上記した同号公報を参照して簡略に説明する。
【０００４】
図８において、従来のヘッドホン１００では、左右一対のハウジング部１０１，１０１が略Ｕ字状に形成したバンド部１０２の両端部に連結されている。
【０００５】
この際、左右一対のハウジング部１０１，１０１内には音声信号を再生するヘッドホンユニット１０３，１０３（左側のみ図示）が内蔵されており、且つ、左右一対のハウジング部１０１，１０１外で互いに対向する内側にはイヤーパッド１０４，１０４が取り付けられている。
【０００６】
また、左右一対のハウジング部１０１，１０１の外面には、装飾用シート部材１０５，１０５（右側のみ図示）が係止用突起１０６，１０６（右側のみ図示）を介して着脱自在に取り付けられている。
【０００７】
また、バンド部１０２にも、装飾用シート部材１０７が左右の係止用突起１０８，１０８（左側のみ図示）を介して着脱自在に取り付けられている。
【０００８】
そして、上記のように構成した従来のヘッドホン１００を使用するにあたって、使用者はバンド部１０２を頭部にかけ、且つ、左右一対のハウジング部１０１，１０１を左右の耳に押し当てて、ハウジング部１０１，１０１内のヘッドホンユニット１０３，１０３から出力された音声信号を再生している。
【０００９】
この際、左右一対のハウジング部１０１，１０１の外面に取り付けた装飾用シート部材１０５，１０５、及び／又は、バンド部１０２に取り付けた装飾用シート部材１０７を、使用者の好みに応じて種々のデザインの物と交換することで使用者は音声の他にデザインも楽しむことができるものである。
【００１０】
【発明が解決しようとする課題】
ところで、上記した従来のヘッドホン１００では、デザイン性を考慮して、左右一対のハウジング部１０１，１０１の外面に装飾用シート部材１０５，１０５を着脱自在に取り付け、更に、バンド部１０２に装飾用シート部材１０７を着脱自在に取り付けることで、使用者は音声の他にデザインも楽しむことができるものの、デザインの雰囲気を代えるためには装飾用シート部材１０５及び装飾用シート部材１０７を複数種類予め用意しておかねばならず、装飾用シート部材１０５及び／又は装飾用シート部材１０７の交換が面倒であり、また、装飾用シート部材１０５及び／又は装飾用シート部材１０７を複数種類用意してもいつのまにか紛失してしまうなどの問題が発生する。
【００１１】
そこで、ヘッドホンへのデザイン性を考慮する際に、簡単な構造で外枠体の外面の一部を色変わりできるヘッドホンが望まれている。
【００１２】
【課題を解決するための手段】
本発明は上記課題に鑑みてなされたものであり、請求項１記載の発明は、内枠体及び一部に透明部を有して不透明に形成された外枠体と、
両枠体内に内蔵され、音声信号を音声に変換する音声変換器と、
両枠体内に回転可能に介装され、前記外枠体側の面に放射状に付着された複数の色材を有する色変わり回転体と、を備え、
前記色変わり回転体を、その回転の際に、前記複数の色材が前記外枠体の透明部に順次臨むように介装する一方、前記複数の色材のうちの所望の色材が前記外枠体の透明部を臨む位置で係止させる係止手段を設け、
前記係止手段を、
谷部と、前記所望の色材が前記外枠体の透明部を臨む位置で前記谷部に弾性的に進入する係止爪とで構成したことを特徴とするヘッドホンである。
【００１３】
また、請求項２記載の発明は、略円形状の外面の一部に透明部を形成すると共に、前記透明部以外を不透明部に形成した外枠体と、
音声信号を音声に変換する音声変換器を内蔵した内枠体と、
前記外枠体と前記内枠体との間に回転可能に介装され、且つ、前記外枠体側に向かってそれぞれ色の異なる複数の色材を円周に沿って付着させた色変わり回転体と、
前記色変わり回転体を回転させた際、前記色変わり回転体に付着させた前記複数の色材のうちの所望の色材を前記外枠体の透明部に臨ませる位置に係止させるための係止手段と、を備え、
前記係止手段を、
前記色変わり回転体に谷部と山部とを繰り返して歯車状に形成した歯車部と、
前記色変わり回転体と前記内枠体との間に設けられ、且つ、前記色変わり回転体に形成した前記歯車部の谷部に進入して前記色変わり回転体を係止するための係止爪が弾性変位可能に形成された中間支持体とで構成したことを特徴とするヘッドホンである。
【００１４】
【発明の実施の形態】
以下に本発明に係るヘッドホンの一実施例を図１乃至図７を参照して詳細に説明する。
【００１５】
図１は本発明に係るヘッドホンの外観及びこのヘッドホンを２個用い、２個のヘッドホンに、ヘッドバンドの両端部を取り付けたヘッドホン組立体の外観を示した斜視図、
図２（ａ），（ｂ）は本発明に係るヘッドホンを示した平面図，縦断面図、
図３は本発明に係るヘッドホンを分解して示した分解斜視図、
図４（ａ）〜（ｃ）は図２（ａ），（ｂ）及び図３に示した外枠体を示した上面図，縦断面図，下面図、
図５（ａ）〜（ｄ）は図２（ａ），（ｂ）及び図３に示した色変わり回転体を示した上面図，正面図，縦断面図，下面図、
図６（ａ）〜（ｃ）は図２（ｂ）及び図３に示した中間支持体を示した上面図，縦断面図，下面図、
図７は本発明に係るヘッドホンにおいて、色変わり回転体の色変わり動作を説明するための平面図である。
【００１６】
図１に示した如く、本発明に係るヘッドホン１０は、携帯型ラジオ，携帯型テープレコーダ，携帯型ＭＤ(Mini Disc) プレーヤ，携帯型液晶テレビなどから出力された音声信号を人間の耳もとで小型スピーカなどにより音声に変換するように構成されているものである。
【００１７】
そして、上記したヘッドホン１０に、引き出し線２１を介して機器に接続するためのピンジャク２２を取り付けると共に、使用者の耳にかけるための耳掛け部材２３を取り付けることで、ヘッドホン１０が単品として使用可能に構成されるものである。尚、ヘッドホン１０をワイヤレスタイプに構成した場合には、引き出し線２１，ピンジャク２２は不必要となるものである。
【００１８】
一方、本発明に係るヘッドホン１０を２個用い、２個のヘッドホン１０，１０に、樹脂材を用いて略Ｕ字状に形成したヘッドバンド３１の両端部を取り付けると共に、２個のヘッドホン１０，１０に使用者の左右の耳にかけるための一対の耳掛け部材２３，２３を必要に応じて取り付けることでヘッドホン組立体３０が構成されている。
【００１９】
上記したヘッドホン１０を１個だけ用いた場合にはモノトーンを再生でき、一方、２個用いた場合にはステレオ再生ができる。
【００２０】
この際、ステレオ再生する場合に、２個のヘッドホン１０，１０をヘッドバンドレスで一対の耳掛け部材２３，２３により使用者の左右の耳にかけて使用する形態と、２個のヘッドホン１０，１０に略Ｕ字状に形成したヘッドバンド３１の両端部を取り付けたヘッドホン組立体３０を使用者の頭部にかけて使用する形態とがあり、工場出荷時にヘッドホン１０に耳掛け部材２３及び／又はヘッドバンド３１を選択的に取り付けている。
【００２１】
次に、図２（ａ），（ｂ）及び図３に示した如く、本発明に係るヘッドホン１０は、樹脂材を用いて成形した円形状凸外面１１ａの一部に透明部１１ａ１を形成し且つ透明部１１ａ１以外を不透明部１１ａ２に形成した外枠体１１と、樹脂材を用いて略円板状に成形した中間支持体１５との間に、外枠体１１の円形状凸外面１１ａの外径及び中間支持体１５の外径よりも外周部が一回り大径に形成され且つ外枠体１１側に向かってそれぞれ色が異なる複数の色材１４を付着させた色変わり回転体１３を時計方向及び反時計方向に回転可能に介装させた状態で、外枠体１１と中間支持体１５とをネジ１６を用いて締結し、更に、中間支持体１５に音声変換器１７を内蔵した内枠体１８を支持して構成されており、使用者が色変わり回転体１３を手動により回転させた時に複数の色材１４のうちで所望の色の色材１４を外枠体１１の透明部１１ａ１に臨ませた位置で色変わり回転体１３を係止させることを特徴とするものである。
【００２２】
まず、図２（ａ），（ｂ）及び図３並びに図４（ａ）〜（ｃ）に示した如く、上記した外枠体１１は、使用者の耳から離れた側に位置しているものである。この外枠体１１は、円形状凸外面１１ａと、この円形状凸外面１１ａの外周部位から突出させた突出部１１ｂとが樹脂材を用いて一体成形されている。
【００２３】
また、外枠体１１に形成した円形状凸外面１１ａは、外周部位に沿った一部を内周に向かって略三角状に切り欠いてこの切り欠いた部位に透明部材を一体的に固着させることで透明部１１ａ１を形成すると共に、透明部１１ａ１以外を不透明部１１ａ２に形成している。この際、外枠体１１に形成した円形状凸外面１１ａは、不透明な樹脂材を用いることで不透明部１１ａ２が形成されているが、これに限ることなく、透明な樹脂材を用いた場合には透明部１１ａ１以外に塗装などを施すことにより不透明部１１ａ２を形成する方法でも良い。
【００２４】
また、外枠体１１に形成した円形状凸外面１１ａの不透明部１１ａ２の略中央部位に取り付け孔１１ａ２１が貫通して穿設されており、且つ、不透明部１１ａ２の外面側で透明部１１ａ１と突出部１１ｂとの間を結んだ中央部位に光沢メッキを施した化粧部材１１ｃが取り付け孔１１ａ２１を基準として一体的に固着されている。また、外枠体１１に形成した円形状凸外面１１ａは、内面側の中央部位にボス部１１ｄが中間支持体１５側に向かって突出形成されており、且つ、ボス部１１ｄの中央に有底ネジ孔１１ｄ１が穿設されている。
【００２５】
また、外枠体１１に形成した突出部１１ｂは、内面側に円弧状ガイド溝１１ｂ１が形成され、且つ、円弧状ガイド溝１１ｂ１内に２本のネジ孔付きボス部１１ｂ２，１１ｂ２が形成されている。また、外枠体１１に形成した突出部１１ｂの円弧状ガイド溝１１ｂ１と対向して、円弧状ガイド溝１２ａを形成した取り付け部材１２が図２（ｂ）及び図３に示したように用意されており、外枠体１１の円弧状ガイド溝１１ｂ１と取り付け部材１２の円弧状ガイド溝１２ａとを互いに突き合わせて形成された空間内に耳掛け部材２３及び／又はヘッドバンド３１を挟み込んで、取り付け部材１２を２本のネジ（図示せず）を用いて円弧状ガイド溝１１ｂ１内に形成した２本のネジ孔付きボス部１１ｂ２，１１ｂ２に締結している。
【００２６】
次に、図２（ａ），（ｂ）及び図３並びに図５（ａ）〜（ｄ）に示した如く、上記した色変わり回転体１３は、樹脂材を用いて略円錐状に成形されている。この色変わり回転体１３は、円錐面部１３ａが外枠体１１の円形状凸外面１１ａの内面側に向かって形成され、この円錐面部１３ａの外面に沿ってそれぞれ色が異なる複数の色材１４が内周から外周に向かって放射状に付着されている。この実施例では、図５（ａ）に示したように、時計回りに黄色の色材１４ａ，青色の色材１４ｂ，金色の色材１４ｃ，ピンク色の色材１４ｄ，赤色の色材１４ｅの順に５色の色材１４が色変わり回転体１３の円錐面部１３ａの外面を５等分してそれぞれ外枠体１５側に向かって付着されている。尚、複数の色材１４の各色は適宜設定されるものである。
【００２７】
また、色変わり回転体１３は、円錐面部１３ａの下方の底面外周部１３ｂの外径が、外枠体１１の円形状凸外面１１ａの外径及び中間支持体１５の外径より一回り大径に形成されていると共に、底面外周部１３ｂの外周を４等分した部位に複数の切り欠き１３ｂ１が形成されており、これらの切り欠き１３ｂ１は使用者が色変わり回転体１３の底面外周部１３ｂを回転させる場合に使用者の指先をひっかかり易くするものである。
【００２８】
また、色変わり回転体１３は、内面側の中央部位で円錐面部１３ａの頂点側からボス部１３ｃが中間支持体１５側に向かって突出形成され、且つ、ボス部１３ｃの中央に中央孔１３ｃ１が貫通して穿設されている。そして、色変わり回転体１３の中央部位に穿設した中央孔１３ｃ１を、外枠体１１の内面側の中央部位に形成したボス部１１ｄの外周部位に嵌合させることにより、色変わり回転体１３は外枠体１１のボス部１１ｄを中心にして回転可能に設けられている。
【００２９】
また、色変わり回転体１３は、内面側でボス部１３ｃより外周側に内歯車部１３ｄが中間支持体１５側に向かって突出形成されており、この内歯車部１３ｄは谷部と山部とを凹凸状に繰り返して歯車状に形成されている。尚、実施例では色変わり回転体１３に内歯車部１３ｄを形成しているが、これに限ることなく、谷部と山部とを凹凸状に繰り返して外歯車部（図示せず）を形成する方法も考えられる。
【００３０】
次に、図２（ａ），（ｂ）及び図３並びに図６（ａ）〜（ｃ）に示した如く、上記した中間支持体１５は、樹脂材を用いて略円板状に形成されている。
【００３１】
この中間支持体１５は、中央部位にボス部１５ａが内枠体１８側に向かって低い高さで突出形成され、且つ、ボス部１５ａの中央にネジ１６を進入させる段付き孔１５ａ１が貫通して穿設されている。
【００３２】
また、中間支持体１５は、ボス部１５ａより外周側で略１８０°離れて２本の係止片１５ｂ，１５ｂが周囲を肉抜きして弾性変位可能にアーム状に形成されており、これら２本の係止片１５ｂ，１５ｂは、アーム状の先端に形成した係止爪部１５ｂ１，１５ｂ１が色変わり回転体１３に形成した内歯車部１３ｄと対向するように突出形成されている。尚、色変わり回転体１３に外歯車部（図示せず）を形成した場合には、中間支持体１５に形成した２本の係止片１５ｂ，１５ｂの先端の係止爪部１５ｂ１，１５ｂ１を外歯車部（図示せず）に対向させれば良い。
【００３３】
ここで、前述した外枠体１１と中間支持体１５との間に色変わり回転体１３を回転可能に介装し、且つ、外枠体１１の内面側の中央部位に突出形成したボス部１１ｄを中間支持体１５の中央部位に突き合わせて、ネジ１６により外枠体１１と中間支持体１５とを締結している。この状態で、色変わり回転体１３の底面外周部１３ｂを手動により外枠体１１のボス部１１ｄを中心にして回転させると、色変わり回転体１３の内面側に形成した内歯車部１３ｄに中間支持体１５にアーム状に形成した２本の係止片１５ｂ，１５ｂの先端の係止爪部１５ｂ１，１５ｂ１が弾性変位しながら接離する。
【００３４】
この際、使用者が色変わり回転体１３の底面外周部１３ｂを手動で回転させて、色変わり回転体１３に付着させた複数の色材１４のうちで所望の色の色材１４が外枠体の円形状凸外面１１ａに形成した透明部１１ａ１を臨む位置に至った際に、色変わり回転体１３の内歯車部１３ｄのうちで略１８０°離れた各谷部に中間支持体１５にアーム状に形成した２本の係止片１５ｂ，１５ｂの先端の係止爪部１５ｂ１，１５ｂ１を進入させることで、色変わり回転体１３がこの位置で係止される。
【００３５】
また、中間支持体１５は、２本の係止片１５ｂ，１５ｂより外周側に３本の支持爪１５ｃが円周に沿って３等分した部位に形成されており、これら３本の支持爪１５ｃは内枠体１８側に向かって低い高さで弾性変位可能に突出形成されている。
【００３６】
次に、図２（ｂ）及び図３に示した如く、上記した内枠体１８は、樹脂材を用いてカップ状に形成されている。また、内枠体１８は、使用者の耳に当接する側にＲ面１８ａが形成され、且つ、Ｒ面１８ａと対向する側は開口されており、更に、内部に環状壁部１８ｂが開口した側に向かって形成されてこの環状壁部１８ｂ内に小型スピーカなどを用いた音声変換器１７が内蔵されていると共に、Ｒ面１８ａに音声変換器１７から出力された音声を使用者の耳側に放出するための小径孔１８ａ１が貫通して複数穿設されている。また、内枠体１８の内部に形成した環状壁部１８ｂには、円周を３等分した部位に横孔１８ｂ１がそれぞれ貫通して穿設されており、３か所の横孔１８ｂ１内に中間支持体１５から弾性変位可能に突出形成した３本の支持爪１５ｃが嵌まり込むことにより、音声変換器１７を内蔵した内枠体１８が中間支持体１５に支持されるようになっている。この際、中間支持体１５に形成した３本の支持爪１５ｃは、型抜きのため支持爪１５ｃが突出する部位を肉抜きしている。
【００３７】
上記のように構成した本発明に係るヘッドホン１０において、色変わり回転体１３の色変わり動作について図７（ａ）〜（ｆ）を用いて説明する。
【００３８】
まず、図７（ａ）に示したように、色変わり回転体１３は、円錐面部１３ａ（図２，図５）に貼りつけた複数の色材１４のうちで黄色の色材が外枠体１１の透明部１１ａ１を臨んでいる位置で係止されているので、透明部１１ａ１は黄色に表示される。
【００３９】
次に、図７（ｂ）に示したように、使用者が色変わり回転体１３の底面外周部１３ｂを手動により図７（ａ）に示した位置から反時計方向（矢印方向）に少し回転させると、黄色の色材とこの隣の青色の色材とが外枠体１１の透明部１１ａ１に対して面積が略同じなった位置で係止されているので、透明部１１ａ１は黄色と青色に表示される。
【００４０】
次に、図７（ｃ）に示したように、使用者が色変わり回転体１３の底面外周部１３ｂを手動により図７（ｂ）に示した位置から更に反時計方向（矢印方向）に少し回転させると、青色の色材が外枠体１１の透明部１１ａ１を臨んでいる位置で係止されているので、透明部１１ａ１は青色に表示される。
【００４１】
以下同様に、色変わり回転体１３の底面外周部１３ｂを手動により反時計方向（矢印方向）に回転させていくと、図７（ｄ）〜図７（ｆ）に示したように外枠体１１の透明部１１ａ１に表示される色材１４の色が変化していく。
【００４２】
この際、色変わり回転体１３は時計方向，反時計方向のいずれの方向に対しても回転可能であり、且つ、隣り合う色材１４の境目が外枠体１１の透明部１１ａ１の略中央位置で係止できるように色変わり回転体１３の内面側に形成した内歯車部１１ｄの谷部及び山部の凹凸数が設定されている。
【００４３】
これにより、外枠体１１の透明部１１ａに表示される色材１４の色を、色変わり回転体１３を回転させるたびに色変わりさせることができるので、使用者が所望した色の色材１４の位置で色変わり回転体１３を係止させれば、変化のあるデザインを楽しむことができる。
【００４４】
また、上記構成によるヘッドホン１０を２個用いて、２個のヘッドホン１０，１０の内枠体１８，１８を互いに内側に向けて対向させた状態で、２個のヘッドホン１０，１０に略Ｕ字状に形成したヘッドバンド３１（図１）の両端部を取り付けて構成したヘッドホン組立体３０（図１）でも、上記と同様に、各ヘッドホン１０，１０の各色変わり回転体１３，１３を回転させることで、各外枠体１１，１１の透明部１１ａ，１１ａに表示される色材１４，１４の各色を色変わりさせることができるので、変化のあるデザインを楽しむことができる。
【００４５】
尚、本発明に係るヘッドホン１０において、実施例では、色変わり回転体１３を外枠体１１と中間支持体１３との間に回転可能に構成したが、これに限ることなく、例えば、外枠体１１と音声変換器１７を内蔵した内枠体１８との間に、外枠体１１側に向かってそれぞれ色の異なる複数の色材１４を付着させた色変わり回転体１３を回転可能に介装させると共に、色変わり回転体１３を手動により回転させた時に複数の色材１４のうちで所望の色の色材が外枠体１１の透明部に臨む位置で色変わり回転体１３を係止させる係止手段を設ける構成でも良い。
【００４６】
【発明の効果】
以上詳述した本発明に係るヘッドホンによると、とくに、外枠体と音声変換器を内蔵した内枠体との間に、外枠体側に向かってそれぞれ色の異なる複数の色材を付着させた色変わり回転体を回転可能に介装させると共に、色変わり回転体を手動により回転させた時に複数の色材のうちで所望の色の色材が外枠体の透明部に臨む位置で色変わり回転体を係止させる係止手段を設けることで、使用者は外枠体の透明部を複数の色材により色変わりして表示させることができるので、変化のあるデザインを楽しむことができる。
【図面の簡単な説明】
【図１】本発明に係るヘッドホンの外観及びこのヘッドホンを２個用い、２個のヘッドホンに、ヘッドバンドの両端部を取り付けたヘッドホン組立体の外観を示した斜視図である。
【図２】（ａ），（ｂ）は本発明に係るヘッドホンを示した平面図，縦断面図である。
【図３】本発明に係るヘッドホンを分解して示した分解斜視図である。
【図４】（ａ）〜（ｃ）は図２（ａ），（ｂ）及び図３に示した外枠体を示した上面図，縦断面図，下面図である。
【図５】（ａ）〜（ｄ）は図２（ａ），（ｂ）及び図３に示した色変わり回転体を示した上面図，正面図，縦断面図，下面図である。
【図６】（ａ）〜（ｃ）は図２（ｂ）及び図３に示した中間支持体を示した上面図，縦断面図，下面図である。
【図７】本発明に係るヘッドホンにおいて、色変わり回転体の色変わり動作を説明するための平面図である。
【図８】従来のヘッドホンを説明するための斜視図である。
【符号の説明】
１０…ヘッドホン、
１１…外枠体、
１１ａ…円形状凸外面、１１ａ１…透明部、１１ａ２…不透明部、
１３…色変わり回転体、１３ａ…円錐面部、１３ｂ…底面外周部、
１３ｄ…内歯車部、
１４…色材、
１４ａ…黄色の色材、１４ｂ…青色の色材、１４ｃ…金色の色材、
１４ｄ…ピンク色の色材、１４ｅ…赤色の色材、
１５…中間支持体、１５ｂ…係止片、１５ｂ１…係止爪部、１５ｃ…支持爪、
１７…音声変換器、１８…内枠体、
２１…引き出し線、２２…ピンジャク、
３０…ヘッドホン組立体、３１…ヘッドバンド。
【図１】
0003873718.tif 000002
【図２】
0003873718.tif 000003
【図３】
0003873718.tif 000004
【図４】
0003873718.tif 000005
【図５】
0003873718.tif 000006
【図６】
0003873718.tif 000007
【図７】
0003873718.tif 000008
【図８】
0003873718.tif 000009